(57)【要約】【課題】  大量の紙資源を消費することなく、入院患者に対して新しい情報を定期的に提示することができるようにする。【解決手段】  カレンダー６により測定された現在の日付に該当する入院情報を、制御部５は、記憶部３から読み出して、入院情報に関連付けて記憶された識別情報に該当する入院患者に対して送信部７により送信し、送信された入院情報を受信部１２にて受信することにより通電して表示内容が書き換えられて入院情報表示部１３に表示されると共に表示内容が無通電状態でも保持されるので、入院情報シートを紙によって発行する必要がなくなり、大量の紙資源を消費することがなくなる。また、表示される入院情報が開示日に更新されるので、入院患者に対して新しい入院情報を定期的に提示することができる。従って、患者は、様々な入院情報を見ることができる。【選択図】        図２
2007272640.tif 000002
【特許請求の範囲】
【請求項１】
入院患者の識別情報に関連付けて入院情報及び前記入院情報の開示日を示す開示日情報を記憶する記憶部と、現在の日付を測定する日付測定部と、前記日付測定部により測定された日付が前記記憶部に記憶された入院情報の開示日と一致した場合に、前記開示日に該当する入院情報を前記記憶部より読み出す入院情報抽出部と、前記入院情報抽出部により読み出された入院情報を前記入院情報に関連付けて記憶された識別情報に該当する入院患者に対して送信する送信部とを備える入院管理装置と、
送信部から送信された前記入院情報を受信する受信部と、前記受信部が前記入院情報を受信することにより通電して表示内容を書き換えて表示すると共に前記表示内容を無通電状態でも保持して表示する入院情報表示部と、前記受信部が受信した前記入院情報を前記表示部に表示させる表示制御部とを備える電子掲示部と、
を具備することを特徴とする電子掲示システム。
【請求項２】
前記電子掲示部は、前記受信部が受信した入院情報を記憶する入院情報記憶部と、前記入院情報記憶部に記憶された複数の入院情報の中から所望の入院情報を抽出する入院情報選択部とを備えることを特徴とする請求項１に記載の電子掲示システム。
【発明の詳細な説明】
【技術分野】
【０００１】
本発明は、例えば病院で患者が入院情報を取得するために用いられる電子掲示システムに関する。
【背景技術】
【０００２】
従来、病院では、入院患者に対してオリエンテーションシートなどの入院情報シートを渡していた。入院情報シートは、入院にあたっての必要な備品や入院中の治療スケジュール、看護スケジュール、検査スケジュール、食事のメニュー、服薬方法、施設の案内などの情報を印刷したものである（例えば、特許文献１など）。
【特許文献１】特開２００５−１９９６７８号公報
【０００３】
しかしながら、特許文献１に記載の技術では、入院情報シートが紙媒体に印刷されたものであるため、一定の期間毎に新しい入院情報シートを各患者に渡さなければならず、看護師などの医療従事者は手間がかかってしまうという問題点があった。また、使用済みの入院情報シートが使い回されることがないため、紙資源を浪費してしまうという問題点があった。
【発明の開示】
【発明が解決しようとする課題】
【０００４】
この発明は、上記の問題を解決するためになされたものであり、大量の紙資源を消費することなく、入院患者に対して新しい情報を定期的に提示することができるようにすることを目的とする。
【課題を解決するための手段】
【０００５】
上記の目的を達成するために、この発明は、日付測定部により測定された現在の日付に該当する入院情報を記憶部から読み出して、入院情報に関連付けて記憶された識別情報に該当する入院患者に対して読み出した入院情報を送信し、送信された入院情報を受信することにより通電して表示内容を書き換えて表示すると共に表示内容を無通電状態でも保持するようにしている。
【発明の効果】
【０００６】
上記のように構成した本発明によれば、入院情報を受信したときのみ通電し、この通電により入院情報が各患者に対して個別に更新して表示されるので、入院情報シートを紙によって発行する必要がなくなり、大量の紙資源を消費することがなくなる。また、表示される入院情報が開示日に更新されるので、入院患者に対して新しい入院情報を定期的に提示することができる。従って、患者は、様々な入院情報を見ることができる。
【発明を実施するための最良の形態】
【０００７】
以下、図面を参照して、この発明の一実施形態について説明する。図１は、本発明の一実施例による電子掲示システムの構成例を示す概略図であり、図２は、本発明の一実施形態による電子掲示システムの構成例を示すブロック図である。図１及び図２に示すように、本実施形態による電子掲示システムは、入院管理装置１と電子掲示部１０とを備える。ここで、入院管理装置１は、制御部２（特許請求の範囲の入院情報抽出部に該当する）、送信部３、記憶部４、入力部５、表示部６、カレンダー７（特許請求の範囲の日付測定部に該当する）を備えて構成されている。また、電子掲示部１０は、表示制御部１１、受信部１２、入院情報表示部１３、入院情報記憶部１４、操作部１５（特許請求の範囲の入院情報選択部に該当する）を備えて構成されている。また、電子掲示部１０は、通常、患者毎（正確にはベッド毎）にベッド近傍などに設置されているが、説明を簡略化するために本実施形態では電子掲示部１０を一つだけ示している。また、それぞれの患者は識別情報により区別されている。
【０００８】
入院管理装置１は、病院の医療従事者によって操作されるものであって、パーソナルコンピュータ１Ａなどで実現される。入力部２は、キーボード１Ｂや図示しないマウスなどの入力デバイスであって、入院管理装置１に対して医療従事者が所望の要求の操作や入院情報などの入力を行うためのものである。入院情報は、入院にあたっての必要な備品や入院中の治療スケジュール、看護スケジュール、検査スケジュール、食事のメニュー、服薬方法、施設の案内などの情報である。なお、入院情報は、入力部２により入力さえるだけでなく、パーソナルコンピュータ１Ａに接続されたネットワーク１Ｄにより入力されるようにしても良い。
【０００９】
記憶部３は、パーソナルコンピュータ１Ａ内の図示しないハードディスクドライブなどにより構成されており、入院患者の識別情報と、この識別情報に関連付けられた入院情報と、この入院情報の開示日を示す開示日情報とを記憶する。表示部４は、例えばＬＣＤ（Liquid Crystal Display）などを用いたディスプレイ装置１Ｃであって、記憶部３から読み出された情報や入力部２により入力された情報などを表示する。
【００１０】
制御部５は、入院管理装置１の各構成要素を制御する。カレンダー６は、現在の日時を測定する。送信部７は、ネットワーク１Ｄなどによりパーソナルコンピュータ１Ａに接続されており、入院情報を電子掲示部１０に送信する。ここで、送信部７は、入院患者のベッド近傍に設置されている。
【００１１】
制御部５は、カレンダー６より現在の日時を取得し、所定の時刻になると、現在の日付が公開日とされている入院情報を記憶部３から抽出する。例えば、現在の日付が４月１日である場合に、４月１日の所定の時刻（例えば、午前８時など）になると、制御部５は、公開日が４月１日である入院情報を記憶部３から抽出する。そして、制御部５は、抽出した入院情報に関連付けられている識別情報に従って、送信部７を制御して送信先の電子掲示部１０に入院情報を送信する。
【００１２】
電子掲示部１０は、文字情報、画像情報などにより入院情報を書き替え表示する。表示制御部１１は、電子掲示部１０の各構成要素を制御する。受信部１２は、入院管理装置１の送信部７から送信された入院情報を受信する。ここで、受信部１２が受信する入院情報は、受信部１２を備えた電子掲示部１０が設置された患者（又はベッド）の識別情報により選択される。
【００１３】
入院管理装置１の送信部７と電子掲示部１０の受信部１２との間の通信方法の一例として、ＲＦＩＤ（Radio Frequency Identification）が考えられる。ＲＦＩＤは、一般に非接触型ＩＣカードや非接触型ＩＣタグと呼ばれる媒体に用いられるものであり、受信部１２は、電子情報が記録されたＩＣチップとこのＩＣチップに接合されたアンテナ回路を含む回路部から形成される。そして、上記アンテナ回路が送信部７から特定の電磁波を受けると、電磁誘導効果や静電結合効果によりＩＣチップに電源が供給され、ＩＣチップは上記アンテナ回路を通じて送信部と通信を行う。
【００１４】
入院情報表示部１３は、受信部１２が受信した入院情報を表示するもので、患者毎に１枚ずつ配布される電子ペーパーにより構成されている。電子ペーパーは、内部に光源を必要とせずに視認が可能で、デジタルやアナログの情報を表示・書き換え可能で、表示を維持するためのエネルギー（バックアップ電源）が不要で、かつ書き換えエネルギーが小さいことが特徴であり、フレキシブル性を有している。一般的に電子ペーパーは、電圧をかけることによって、液晶の光学特性を変化させたり、固体または液体の荷電粒子を電極に吸引したり、粒子反転を起こしたりすることにより表示を行うものである。本実施形態においても、表示情報の書き換え制御の一例として、このような電圧印加状態を変化させることで実現する。ここで、書き換えられた表示内容は、次の書き換え制御がなされるまで無通電で保持される。
【００１５】
入院情報記憶部１４は、受信部１２が受信した入院情報を記憶する。操作部１５は、入院情報表示部１３に表示される入院情報を選択する。操作部１５により入院情報が選択されると、表示制御部１１は、入院情報記憶部１４から該当する入院情報を抽出し、入院情報表示部１３に書き替え表示する。
【００１６】
次に、本実施形態による電子掲示システムの動作及び入院情報表示方法を説明する。図３は、本実施形態による電子掲示システムの動作及び入院情報表示方法を示すフローチャートである。まず、入院管理装置１の制御部５は、カレンダー６から現在日時を取得し、所定の時刻になったか否かを調べる（ステップＳ１）。所定の時刻になっていないと制御部５にて判断した場合には（ステップＳ１にてＮＯ）、ステップＳ１の処理を繰り返す。
【００１７】
一方、所定の時刻になったと制御部５が判断した場合には（ステップＳ１にてＹＥＳ）、制御部５は、カレンダー６により得られる現在の日付に基づいて、その日付が公開日となっている入院情報を記憶部３から検索する（ステップＳ２）。そして、現在の日付に一致する公開日である入院情報、換言すると、送信すべき入院情報が見つかったか否かを制御部５にて調べる（ステップＳ３）。送信すべき入院情報が見つからなかった場合には（ステップＳ３にてＮＯ）、ステップＳ１の処理に戻る。
【００１８】
一方、送信すべき入院情報が見つかった場合には（ステップＳ３にてＹＥＳ）、制御部５は、送信部７を制御し、入院情報に関連付けられている識別情報に従って入院情報を送信する（ステップＳ４）。
【００１９】
電子掲示部１０の表示制御部１１は、受信部１２が入院情報を受信したか否かを調べる（ステップＳ５）。受信部１２が入院情報を受信していないと表示制御部１１にて判断した場合には（ステップＳ５にてＮＯ）、ステップＳ５の処理を繰り返す。
【００２０】
一方、受信部１２が入院情報を受信したと表示制御部１１にて判断した場合には（ステップＳ５にてＹＥＳ）、表示制御部１１は、受信部１２を制御して入院情報を受信する（ステップＳ６）。そして、表示制御部１１は、受信部１２が受信した入院情報を入院情報表示部１３に表示する。
【００２１】
以上詳しく説明したように、本実施形態によれば、カレンダー６により測定された現在の日付に該当する入院情報を、制御部５は、記憶部３から読み出して、入院情報に関連付けて記憶された識別情報に該当する入院患者に対して送信部７により送信し、送信された入院情報を受信部１２にて受信することにより通電して表示内容を書き換えて入院情報表示部１３に表示すると共に表示内容を無通電状態でも保持するようにしている。これにより、入院情報シートを紙によって発行する必要がなくなり、大量の紙資源を消費することがなくなる。また、表示される入院情報が開示日に更新されるので、入院患者に対して新しい入院情報を定期的に提示することができる。従って、患者は、様々な入院情報を見ることができる。
【００２２】
なお、前述した本実施形態では、入院情報記憶部１４によって記憶された入院情報の中から操作部１５により入院患者が所望の入院情報を選択し、選択された入院情報を入院情報表示部１３に表示するようにしているが、これに限定されない。例えば、患者による入院情報の選択機能が不要である場合には、入院情報記憶部１４及び操作部１５を不要としても良い。
【００２３】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００２４】
【図１】本実施形態による電子掲示システムの構成例を示す概略図である。
【図２】本実施形態による電子掲示システムの構成例を示すブロック図である。
【図３】本実施形態による電子掲示システムの動作及び入院情報表示方法を示すフローチャートである。
【符号の説明】
【００２５】
１    入院管理装置
２    入力部
３    記憶部
４    表示部
５    制御部
６    カレンダー
７    送信部
１０    電子掲示部
１１    表示制御部
１２    受信部
１３    入院情報表示部
１４    入院情報記憶部
１５    操作部
【図１】
2007272640.tif 000003
【図２】
2007272640.tif 000004
【図３】
2007272640.tif 000005